【手続補正書】
【提出日】平成17年2月15日(2005.2.15)
【手続補正１】
【補正対象書類名】明細書
【補正対象項目名】発明の名称
【補正方法】変更
【補正の内容】
【発明の名称】色処理装置およびその方法
【手続補正２】
【補正対象書類名】明細書
【補正対象項目名】特許請求の範囲
【補正方法】変更
【補正の内容】
【特許請求の範囲】
【請求項１】
デバイスのメディアにおいて表現される白色点を示すメディアの白色点を取得し、
前記デバイスのメディアにおいて表現される黒色点と同じ明度を有し、前記メディアの白色点と同じ色度を有するメディアのグレーバランス黒色点を取得し、
前記メディアの白色点および前記グレーバランス黒色点を用いて、入力色データを補正することを特徴とする色処理方法。
【請求項２】
前記補正は、前記入力色データを知覚色空間に変換し、変換後の色データを補正することを特徴とする請求項1に記載された色処理方法。
【請求項３】
前記補正は、色知覚モデルの順方向変換を用いる変換を行うことを特徴とする請求項1に記載された色処理方法。
【請求項４】
ソース側メディア上の色をデスティネーション側メディア上の色に変換する色処理方法であって、
前記ソース側メディアにおいて表現される白色点を示すソース側メディアの白色点、および、前記ソース側メディアにおいて表現される黒色点と同じ明度を有し、前記ソース側メディアの白色点と同じ色度を有するソース側メディアのグレーバランス黒色点を取得し、
前記デスティネーション側メディアにおいて表現される白色点を示すデスティネーション側メディアの白色点、および、前記デスティネーション側メディアにおいて表現される黒色点と同じ明度を有し、前記デスティネーション側メディアの白色点と同じ色度を有するデスティネーション側メディアのグレーバランス黒色点を取得し、
前記ソース側メディアの白色点およびグレーバランス黒色点、並びに、前記デスティネーション側メディアの白色点およびグレーバランス黒色点を用いて、前記ソース側メディア上の色を前記デスティネーション側メディア上の色に変換することを特徴とする色処理方法。
【請求項５】
画像処理装置を制御して、請求項1から請求項4の何れかに記載された色処理を実行することを特徴とするプログラム。
【請求項６】
デバイスのメディアにおいて表現される白色点を示すメディアの白色点を取得する第一の取得手段と、
前記デバイスのメディアにおいて表現される黒色点と同じ明度を有し、前記メディアの白色点と同じ色度を有するメディアのグレーバランス黒色点を取得する第二の取得手段と、
前記メディアの白色点および前記グレーバランス黒色点を用いて、入力色データを補正する補正手段とを有することを特徴とする色処理装置。
【請求項７】
ソース側メディア上の色をデスティネーション側メディア上の色に変換する色処理装置であって、
前記ソース側メディアにおいて表現される白色点を示すソース側メディアの白色点、および、前記ソース側メディアにおいて表現される黒色点と同じ明度を有し、前記ソース側メディアの白色点と同じ色度を有するソース側メディアのグレーバランス黒色点を取得する第一の取得手段と、
前記デスティネーション側メディアにおいて表現される白色点を示すデスティネーション側メディアの白色点、および、前記デスティネーション側メディアにおいて表現される黒色点と同じ明度を有し、前記デスティネーション側メディアの白色点と同じ色度を有するデスティネーション側メディアのグレーバランス黒色点を取得する第二の取得手段と、
前記ソース側メディアの白色点およびグレーバランス黒色点、並びに、前記デスティネーション側メディアの白色点およびグレーバランス黒色点を用いて、前記ソース側メディア上の色を前記デスティネーション側メディア上の色に変換することを特徴とする色処理装置。
【手続補正３】
【補正対象書類名】明細書
【補正対象項目名】０００１
【補正方法】変更
【補正の内容】
【０００１】
【発明の属する技術分野】
本発明は、メディアの白色点およびメディアのグレーバランス黒色点に基づく補正を行う色処理に関する。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２６
【補正方法】変更
【補正の内容】
【００２６】
本発明にかかる色処理方法は、デバイスのメディアにおいて表現される白色点を示すメディアの白色点を取得し、前記デバイスのメディアにおいて表現される黒色点と同じ明度を有し、前記メディアの白色点と同じ色度を有するメディアのグレーバランス黒色点を取得し、前記メディアの白色点および前記グレーバランス黒色点を用いて、入力色データを補正することを特徴とする。
【手続補正７】
【補正対象書類名】明細書
【補正対象項目名】００２７
【補正方法】変更
【補正の内容】
【００２７】
また、ソース側メディア上の色をデスティネーション側メディア上の色に変換する色処理方法であって、前記ソース側メディアにおいて表現される白色点を示すソース側メディアの白色点、および、前記ソース側メディアにおいて表現される黒色点と同じ明度を有し、前記ソース側メディアの白色点と同じ色度を有するソース側メディアのグレーバランス黒色点を取得し、前記デスティネーション側メディアにおいて表現される白色点を示すデスティネーション側メディアの白色点、および、前記デスティネーション側メディアにおいて表現される黒色点と同じ明度を有し、前記デスティネーション側メディアの白色点と同じ色度を有するデスティネーション側メディアのグレーバランス黒色点を取得し、前記ソース側メディアの白色点およびグレーバランス黒色点、並びに、前記デスティネーション側メディアの白色点およびグレーバランス黒色点を用いて、前記ソース側メディア上の色を前記デスティネーション側メディア上の色に変換することを特徴とする。
【手続補正８】
【補正対象書類名】明細書
【補正対象項目名】００２８
【補正方法】変更
【補正の内容】
【００２８】
本発明にかかる色処理装置は、デバイスのメディアにおいて表現される白色点を示すメディアの白色点を取得する第一の取得手段と、前記デバイスのメディアにおいて表現される黒色点と同じ明度を有し、前記メディアの白色点と同じ色度を有するメディアのグレーバランス黒色点を取得する第二の取得手段と、前記メディアの白色点および前記グレーバランス黒色点を用いて、入力色データを補正する補正手段とを有することを特徴とする。
【手続補正９】
【補正対象書類名】明細書
【補正対象項目名】００２９
【補正方法】変更
【補正の内容】
【００２９】
また、ソース側メディア上の色をデスティネーション側メディア上の色に変換する色処理装置であって、前記ソース側メディアにおいて表現される白色点を示すソース側メディアの白色点、および、前記ソース側メディアにおいて表現される黒色点と同じ明度を有し、前記ソース側メディアの白色点と同じ色度を有するソース側メディアのグレーバランス黒色点を取得する第一の取得手段と、前記デスティネーション側メディアにおいて表現される白色点を示すデスティネーション側メディアの白色点、および、前記デスティネーション側メディアにおいて表現される黒色点と同じ明度を有し、前記デスティネーション側メディアの白色点と同じ色度を有するデスティネーション側メディアのグレーバランス黒色点を取得する第二の取得手段と、前記ソース側メディアの白色点およびグレーバランス黒色点、並びに、前記デスティネーション側メディアの白色点およびグレーバランス黒色点を用いて、前記ソース側メディア上の色を前記デスティネーション側メディア上の色に変換することを特徴とする。
【手続補正１０】
【補正対象書類名】明細書
【補正対象項目名】００６８
【補正方法】削除
【補正の内容】
【手続補正１１】
【補正対象書類名】明細書
【補正対象項目名】００６９
【補正方法】削除
【補正の内容】